(57)【特許請求の範囲】
【請求項１】
大引きを高さ調整のできる束に支持する大引きの支持構造において、
大引きの端部に固定されるとともに、基礎の天面に設置される取付金具を用いることにより、大引きの取付高さを設定可能にするものであり、
取付金具が大引きの端部の上面に固定される第１水平板と、基礎の天面に設置される第２水平板とを有してなることを特徴とする大引きの支持構造。
【請求項２】
大引きの端部同士を接続して束に支持する請求項１に記載の大引きの支持構造において、
大引きの上面同士を継ぎ金具により接続し、大引きの下面同士を束の受金物により接続するものであり、
継ぎ金具は大引きの上面に添う上板部と、該上板部の両側から折曲げられて大引きの両側面に添う側板部とを有し、
束の受金物は大引きの下面に添う底板部と、該底板部の両側から折曲げられて大引きの両側面に添う側板部とを有する大引きの支持構造。
【請求項３】
前記束の受金物が底板部から側板部に渡る補強リブを設け、該底板部の補強リブを避けた位置に束の支柱を接合する請求項２に記載の大引きの支持構造。
【請求項４】
大引きを高さ調整のできる束に支持する大引きの支持方法において、
大引きの端部に固定されるとともに、基礎の天面に設置される取付金具を用いることにより、大引きの取付高さを設定するに際し、
取付金具の第１水平板を大引きの端部の上面に固定し、取付金具の第２水平板を基礎の天面に設置することにより、基礎の天面を基準として大引きの上面を一定高さに設定するとともに、
高さ調整のできる束で大引きを支持する大引きの支持方法。
【発明の詳細な説明】
【０００１】
【発明の属する技術分野】
本発明は住宅等の床の根太等を支える大引きの支持構造に関する。
【０００２】
【従来の技術】
大引きの支持構造の従来技術として、特公平3-4701に記載の如く、基礎に固定ボルトを埋込み、この固定ボルトに受金具を固定し、この受金具に大引きを固定するものがある。
【０００３】
しかしながら、大引きの取付高さを一定レベルに設定するためには、基礎に対する固定ボルトの埋込み位置精度を高精度にする必要があり、施工工数を必要とし、高コストになる。
【０００４】
尚、大引きの荷重を基礎で支持せずに束で支持するものがあるが、この場合には、大引きの取付高さの設定に困難がある。
【０００５】
また、大引きの支持構造の他の従来技術として、特開2000-352181に記載の如く、大引きの端部同士に接合金物を差し込んで両大引きを接続するものがある。
【０００６】
しかしながら、大引きの端部同士に対する接合金物の差し込み作業には手間がかかるし、床振動によって大引きと接合金物がこすれあい、不快音を発する虞がある。
【０００７】
尚、特許2828240に記載の如く、大引きの端部同士をそれらの外面に添設する添え板により固定するものもあるが、大引きの上面と両側面のそれぞれに別個の添え板を用いるものであり、各添え板の取付け作業に手間がかかるし、材料的にも非効率である。
【０００８】
本発明の課題は、大引きの取付高さを簡易かつ高精度に設定することにある。本発明の他の課題は、大引きの端部同士を簡易かつ確実に接続することにある。
【０００９】
【課題を解決するための手段】
請求項１の発明は、大引きを高さ調整のできる束に支持する大引きの支持構造において、大引きの端部に固定されるとともに、基礎の天面に設置される取付金具を用いることにより、大引きの取付高さを設定可能にするものであり、取付金具が大引きの端部の上面に固定される第１水平板と、基礎の天面に設置される第２水平板とを有してなるようにしたものである。
【００１０】
請求項２の発明は、大引きの端部同士を接続して束に支持する請求項1に記載の大引きの支持構造において、大引きの上面同士を継ぎ金具により接続し、大引きの下面同士を束の受金物により接続するものであり、継ぎ金具は大引きの上面に添う上板部と、該上板部の両側から折曲げられて大引きの両側面に添う側板部とを有し、束の受金物は大引きの下面に添う底板部と、該底板部の両側から折曲げられて大引きの両側面に添う側板部とを有するようにしたものである。
【００１１】
請求項３の発明は、前記束の受金物が底板部から側板部に渡る補強リブを設け、該底板部の補強リブを避けた位置に束の支柱を接合する請求項２に記載の大引きの支持構造。
【００１２】
請求項４の発明は、大引きを高さ調整のできる束に支持する大引きの支持方法において、大引きの端部に固定されるとともに、基礎の天面に設置される取付金具を用いることにより、大引きの取付高さを設定するに際し、取付金具の第１水平板を大引きの端部の上面に固定し、取付金具の第２水平板を基礎の天面に設置することにより、基礎の天面を基準として大引きの上面を一定高さに設定するとともに、高さ調整のできる束で大引きを支持するようにしたものである。
【００１３】
【作用】
請求項１、４の発明によれば下記(a)、(b)の作用がある。
(a)大引きに作用する床荷重を束により確実に支持できる。そして、大引きの取付高さは、取付金具を用いることにより、基礎の天面を基準として簡易かつ高精度に設定できる。
【００１４】
(b)取付金具が第１水平板と第２水平板を有する簡素な部品からなり、第１水平板と第２水平板の相対高さの設定（第１水平板の方が高い、低い又は同レベルのいずれか）により、大引きの取付高さが基礎の天面を基準として簡易かつ高精度に設定できる。
【００１５】
請求項２の発明によれば下記(c)の作用がある。
(c)大引きの端部同士を、上面側に嵌まるＵ字状の継ぎ金具と、下面側に嵌まるＵ字状の束の受金物により、上下からサンドイッチする如くに接続することで、強固に、かつ確実に接続できる。このとき、継ぎ金具が単純なＵ字状であり低コストになり、上板部と側板部が一体化されているから、床荷重に対する強度が高く、大引き同士の通り精度も容易に高精度化できるし、材料的にも効率的であり、取付作業性も良い。
【００１６】
請求項３の発明によれば下記(d)の作用がある。
(d)大引きの受金物は、底板部の補強リブを避けた位置に束の支柱を接合した。このため、底板部の支柱が接合された部分と、大引きとの間には、補強リブに起因する空洞が介在しない。従って、床荷重を受金物の底板部を介して束の支柱に伝えるに際し、底板部がつぶれ破壊する虞がなく、大きな床荷重を負担できる。
【００１７】
【発明の実施の形態】
図１は基礎と大引きを示す平面図、図２は大引きの支持構造を示し、（Ａ）は図１のＡ部を示す斜視図、（Ｂ）は図１のＢ部を示す斜視図、図３は取付金具を示す斜視図、図４は大引きの支持構造を示し、（Ａ）は大引きの上面同士の接続部を示す斜視図、（Ｂ）は大引きの下面同士の接続部を示す斜視図、図５は継ぎ金具を示す斜視図である。
【００１８】
図１において、１は基礎、１０は鋼管等の金属製大引きである。大引き１０は、図２に示す如く、束２０の支柱２１に接合された受金物２２により支持され、建物ユニットの床パネルの根太を支える。束２０は、支柱２１の長さの調整により、高さ調整可能とされる。
【００１９】
大引き１０は、以下の如くに、(A)取付高さを設定されるとともに、(B)相隣る大引き１０と接続される。
【００２０】
(A)大引き１０の取付高さの設定構造（図２、図３）
大引き１０は、束２０の高さ調整に先立ち、取付金具３０を用いてその取付高さを位置出し設定される。
【００２１】
取付金具３０は、図２、図３に示す如く、大引き１０の端部の上面に固定される第１水平板３１と、基礎１の天面に設置される第２水平板３２とを有する。取付金具３０は、第１水平板３１と第２水平板３２の相対高さの設定により、基礎１の天面を基準とする大引き１０の取付高さを設定する。第１水平板３１と第２水平板３２の相対高さが０でなければ、第１水平板３１と第２水平板３２は垂直板３３で連結され、相対高さが０であれば、第１水平板３１と第２水平板３２は同一面をなす。
【００２２】
従って、大引き１０の取付高さは以下の如くに設定される。
(1)大引き１０を束２０に仮支持する状態で、大引き１０の両端部の上面に取付金具３０の第１水平板３１をドリルねじ３４により固定する（又は、基礎１の天面に取付金具３０の第２水平板３２をコンクリート釘３５により設置する）。
【００２３】
(2)取付金具３０の第２水平板３２を基礎１の天面に当てるように（又は、取付金具３０の第１水平板３１を大引き１０の両端部の上面に当てるように）、束２０の高さ調整を行なう。
【００２４】
(3)束２０の高さ調整後、取付金具３０の第２水平板３２をコンクリート釘３５により基礎１の天面に設置する（又は取付金具３０の第１水平板３１をドリルねじ３４により大引き１０の両端部の上面に固定する）。
【００２５】
本実施形態によれば、以下の作用がある。
▲１▼大引き１０に作用する床荷重を束２０により確実に支持できる。そして、大引き１０の取付高さは、取付金具３０を用いることにより、基礎１の天面を基準として簡易かつ高精度に設定できる。
【００２６】
▲２▼取付金具３０が第１水平板３１と第２水平板３２を有する簡素な部品からなり、第１水平板３１と第２水平板３２の相対高さの設定（第１水平板３１の方が高い、低い又は同レベルのいずれか）により、大引き１０の取付高さが基礎１の天面を基準として簡易かつ高精度に設定できる。
【００２７】
(B)大引き１０の端部同士の接続構造（図４、図５）
相対する基礎１、１の間隔が長いとき、複数の大引き１０同士を接続して用いる。
【００２８】
大引き１０同士は、図４に示す如く、大引き１０の上面同士を継ぎ金具４０により接続し、大引き１０の下面同士を束２０の受金物２２により接続する。
【００２９】
継ぎ金具４０は、図４、図５に示す如く、U字状をなし、大引き１０の上面に添う上板部４１と、上板部４１の両側から折曲げられて大引き１０の両側面に添う側板部４２とを有する。
【００３０】
束２０の受金物２２は、図４に示す如く、U字状をなし、大引き１０の下面に添う底板部２２Ａと、底板部２２Ａの両側から折曲げられて大引き１０の両側面に添う側板部２２Ｂとを有する。また、束２０の受金物２２は、底板部２２Ａから側板部２２Ｂに渡る２条の補強リブ２２Ｃ、２２Ｃを備え、底板部２２Ａにおいて両補強リブ２２Ｃ、２２Ｃに挟まれる中央に支柱２１を接合可能としている。
【００３１】
従って、大引き１０の端部同士は以下の如くに接続される。
(1)大引き１０の上面同士を継ぎ金具４０により接続する。継ぎ金具４０の上板部４１をドリルねじ４３により両大引き１０の上面に固定する。
【００３２】
(2)大引き１０を上下反転し、大引き１０の下面同士を束２０の受金物２２により接続する。受金物２２の底板部２２Ａをドリルねじ２３により両大引き１０の下面に固定する。
【００３３】
本実施形態によれば、以下の作用がある。
▲１▼大引き１０の端部同士を、上面側に嵌まるＵ字状の継ぎ金具４０と、下面側に嵌まるＵ字状の束２０の受金物２２により、上下からサンドイッチする如くに接続することで、強固に、かつ確実に接続できる。このとき、継ぎ金具４０が単純なＵ字状であり低コストになり、上板部４１と側板部４２が一体化されているから、床荷重に対する強度が高く、大引き１０同士の通り精度も容易に高精度化できるし、材料的にも効率的であり、取付作業性も良い。
【００３４】
▲２▼大引き１０の受金物２２は、底板部２２Ａの補強リブ２２Ｃを避けた位置に束２０の支柱２１を接合した。このため、底板部２２Ａの支柱２１が接合された部分と、大引き１０との間には、補強リブ２２Ｃに起因する空洞が介在しない。従って、床荷重を受金物２２の底板部２２Ａを介して束２０の支柱２１に伝えるに際し、底板部２２Ａがつぶれ破壊する虞がなく、大きな床荷重を負担できる。
【００３５】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の大引きは、建物ユニットの床を支えるものに限らず、一般建物の床を支えるものであっても良い。
【００３６】
【発明の効果】
以上のように本発明によれば、大引きの取付高さを簡易かつ高精度に設定することができる。また、本発明によれば、大引きの端部同士を簡易かつ確実に接続することができる。
【図面の簡単な説明】
【図１】図１は基礎と大引きを示す平面図である。
【図２】図２は大引きの支持構造を示し、（Ａ）は図１のＡ部を示す斜視図、（Ｂ）は図１のＢ部を示す斜視図である。
【図３】図３は取付金具を示す斜視図である。
【図４】図４は大引きの支持構造を示し、（Ａ）は大引きの上面同士の接続部を示す斜視図、（Ｂ）は大引きの下面同士の接続部を示す斜視図である。
【図５】図５は継ぎ金具を示す斜視図である。
【符号の説明】
１  基礎
１０  大引き
２０  束
２１  支柱
２２  受金物
２２Ａ  底板部
２２Ｂ  側板部
２２Ｃ  補強リブ
３０  取付金具
３１  第１水平板
３２  第２水平板
４０  継ぎ金具
４１  上板部
４２  側板部
【図１】
0003967948.tif 000002
【図２】
0003967948.tif 000003
【図３】
0003967948.tif 000004
【図４】
0003967948.tif 000005
【図５】
0003967948.tif 000006